(57)【要約】【課題】埃等の光学的瑕疵がどこにあるのかを容易に判断でき、これにより、メンテナンス作業性を向上させることができる画像読取装置及びそれを備えた画像形成装置を提供する。【解決手段】原稿Ｇに向けて光を照射する複数の発光素子２１２（１），…，２１２（ｎ）を主走査方向Ｘに列設した光源２１１と、原稿Ｇからの反射光を受光する光電変換素子２０５とを備えた画像読取装置１００は、複数の発光素子２１２（１），…，２１２（ｎ）を発光素子毎に個別に駆動可能とされており、光源Ｇと光電変換素子２０５との間の光路ＬＰ１，ＬＰ２上における光学的瑕疵Ｃによって発生し得る瑕疵画像の状態を判定し、該瑕疵画像の状態の判定結果に基づき光学的瑕疵Ｃの主走査方向Ｘにおける瑕疵位置を特定し、該特定した瑕疵位置を複数の発光素子２１２（１），…，２１２（ｎ）の発光パターンによって報知する。【選択図】図１０
2011101175.tif 000002
【特許請求の範囲】
【請求項１】
原稿に向けて光を照射する複数の発光素子を主走査方向に列設した光源と、前記原稿からの反射光を受光する光電変換素子とを備えた画像読取装置であって、
前記複数の発光素子を発光素子毎に個別に駆動可能とされており、
前記光源と前記光電変換素子との間の光路上における光学的瑕疵によって発生し得る瑕疵画像の状態を判定し、該瑕疵画像の状態の判定結果に基づき前記光学的瑕疵の前記主走査方向における瑕疵位置を特定し、該特定した瑕疵位置を前記複数の発光素子の発光パターンによって報知することを特徴とする画像読取装置。
【請求項２】
請求項１に記載の画像読取装置であって、
前記瑕疵画像の状態を検出するための基準画像に対して前記複数の発光素子から光を照射して該基準画像から反射した反射光を前記光電変換素子で読み取り、前記光電変換素子で読み取った読取値と、予め設定しておいた設定範囲とを比較し、前記読取値が前記設定範囲の範囲外にある場合には、該範囲外にある読取値に対応する発光素子を前記瑕疵位置に対応する発光素子として特定することを特徴とする画像読取装置。
【請求項３】
請求項１又は請求項２に記載の画像読取装置であって、
前記発光パターンは、前記瑕疵位置に対応する発光素子を点灯させることを特徴とする画像読取装置。
【請求項４】
請求項１又は請求項２に記載の画像読取装置であって、
前記発光パターンは、前記瑕疵位置に対応する発光素子を点滅させることを特徴とする画像読取装置。
【請求項５】
請求項１から請求項４までの何れか一つに記載の画像読取装置であって、
第１の透明板上を通過するように副走査方向に搬送される原稿を読取位置に位置する前記光源にて該第１の透明板を介して照明し、かつ、該光源により照明された原稿からの反射光を前記主走査方向に走査して原稿画像を読み取る原稿移動読取構成を備え、
前記原稿移動読取構成において前記瑕疵位置を前記複数の発光素子の発光パターンによって報知する場合には、前記第１の透明板に対応する位置で前記光源を停止させた状態で前記発光パターンを発光させることを特徴とする画像読取装置。
【請求項６】
請求項１から請求項５までの何れか一つに記載の画像読取装置であって、
前記光源を副走査方向に移動させつつ第２の透明板上に載置される原稿を該第２の透明板を介して照明し、かつ、該光源により照明された原稿からの反射光を前記主走査方向に走査して原稿画像を読み取る原稿固定読取構成を備え、
前記原稿固定読取構成において前記瑕疵位置を前記複数の発光素子の発光パターンによって報知する場合には、前記第２の透明板に対応する位置で前記光源を停止させた状態で前記発光パターンを発光させることを特徴とする画像読取装置。
【請求項７】
請求項１から請求項６までの何れか一つに記載の画像読取装置であって、
前記光源を副走査方向に移動させつつ第２の透明板上に載置される原稿を該第２の透明板を介して照明し、かつ、該光源により照明された原稿からの反射光を前記主走査方向に走査して原稿画像を読み取る原稿固定読取構成を備え、
前記原稿固定読取構成において前記瑕疵位置を前記複数の発光素子の発光パターンによって報知する場合には、前記光源を前記副走査方向に移動させつつ前記発光パターンを発光させることを特徴とする画像読取装置。
【請求項８】
請求項１から請求項７までの何れか一つに記載の画像読取装置であって、
前記光源を副走査方向に移動させつつ第２の透明板上に載置される原稿を該第２の透明板を介して照明し、かつ、該光源により照明された原稿からの反射光を前記主走査方向に走査して原稿画像を読み取る原稿固定読取構成を備え、
前記原稿固定読取構成において前記瑕疵位置を前記複数の発光素子の発光パターンによって報知するにあたり、前記瑕疵画像が前記副走査方向に連続したスジ画像であるか、或いは、孤立した孤立画像であるかを判定することを特徴とする画像読取装置。
【請求項９】
請求項８に記載の画像読取装置であって、
前記瑕疵画像が前記孤立画像である場合には、前記副走査方向における前記孤立画像に対応する前記瑕疵位置を特定し、該特定した瑕疵位置に対応する位置で前記光源を停止させた状態で前記発光パターンを発光させることを特徴とする画像読取装置。
【請求項１０】
請求項８又は９に記載の画像読取装置であって、
前記瑕疵画像が前記副走査方向に複数箇所ある場合には、前記副走査方向における前記複数箇所の孤立画像にそれぞれ対応する複数箇所の前記瑕疵位置を特定し、該特定した複数箇所の瑕疵位置に対応する位置に前記光源を移動させることを特徴とする画像読取装置。
【請求項１１】
請求項２から請求項１０までの何れか一つに記載の画像読取装置であって、
第１の透明板上を通過するように副走査方向に搬送される原稿を読取位置に位置する前記光源にて該第１の透明板を介して照明し、かつ、該光源により照明された原稿からの反射光を前記主走査方向に走査して原稿画像を読み取る原稿移動読取構成と、
前記光源を前記副走査方向に移動させつつ第２の透明板上に載置される原稿を該第２の透明板を介して照明し、かつ、該光源により照明された原稿からの反射光を前記主走査方向に走査して原稿画像を読み取る原稿固定読取構成と
を備え、
前記原稿移動読取構成で前記基準画像を読み取る場合には、前記基準画像として前記第１の透明板に対向して配置された読取ガイド部材を読み取り、
前記原稿固定読取構成で前記基準画像を読み取る場合には、前記基準画像として前記第２の透明板上に載置される原稿を保持する原稿押さえ部材を読み取り、
前記読取値は、前記読取ガイド部材を読み取った第１の読取値と、前記原稿押さえ部材を読み取った第２の読取値とを含み、
前記設定範囲は、前記第１の読取値と比較する第１の設定範囲と、前記第２の読取値と比較する第２の設定範囲とを含み、
前記第１の設定範囲と前記第２の設定範囲とが互いに異なることを特徴とする画像読取装置。
【請求項１２】
請求項１から請求項１１までの何れか一つに記載の画像読取装置を備えていることを特徴とする画像形成装置。
【発明の詳細な説明】
【技術分野】
【０００１】
本発明は、複数の発光素子を主走査方向に列設した光源からの光を原稿に向けて照射し、該原稿からの反射光を光電変換素子で読み取る画像読取装置及びそれを備えた画像形成装置に関する。
【背景技術】
【０００２】
複写機、ファクシミリ装置及びデジタル複合機等の画像形成装置に備えられる画像読取装置や、ネットワーク等の通信手段を介してコンピュータに接続される画像読取装置では、光源によって照明された原稿からの反射光を原稿画像として読み取るようになっている。
【０００３】
画像読取装置として、一般的に、原稿を移動させて原稿画像を読み取る原稿移動読取方式のものや、原稿を固定して原稿画像を読み取る原稿固定読取方式のものが採用される。
【０００４】
詳しくは、原稿移動読取方式の画像読取装置では、副走査方向の一方側に搬送される原稿の画像を第１の透明板（例えば原稿読取ガラス）を介して読取位置に位置する光源によって前記副走査方向に直交する主走査方向に走査しながら読み取る。また、原稿固定読取方式の画像読取装置では、第２の透明板（例えば原稿台ガラス）上に載置される原稿の画像を副走査方向の一方側に移動する光源によって前記主走査方向に走査しながら読み取る。
【０００５】
従来の画像読取装置として、原稿を照明する光源及び第１ミラーを配置した光源ユニットと、第２及び第３ミラーと、結像レンズと、光電変換素子として作用するＣＣＤ（Charge Coupled Device）等の縮小型イメージセンサとを備え、光源により照明された原稿反射光を第１ミラー、第２ミラー、第３ミラーから結像レンズを介してイメージセンサに結像させて原稿画像を読み取る構成のものや、原稿を照明する光源と、光電変換素子として作用するＣＩＳ（Contact Image Sensor）等の密着型イメージセンサとを備え、光源により照明された原稿反射光をイメージセンサに照射して原稿画像を読み取る構成のものが多い。
【０００６】
このような従来の画像読取装置においては、光源と光電変換素子との間の光路上における光学的瑕疵（例えば、ガラス板などの透明板に付着しているゴミ、埃、汚れなどの異物や、ガラス板などの透明板に付いた傷等）によって瑕疵画像が発生することがある。例えば、第１の透明板（例えば原稿台ガラス）や、原稿押さえ部材に光学的瑕疵がある場合には黒斑点等の孤立画像が発生したり、光源と光電変換素子との間における光学系を構成する光学部材や、第２の透明板（例えば原稿読取ガラス）に光学的瑕疵がある場合には副走査方向に連続した黒スジ画像が発生したり、或いは、シェーディング補正時に読み取るための白基準部材に光学的瑕疵がある場合には副走査方向に連続した白スジ画像が発生したりする。
【０００７】
この点に関し、下記特許文献１には、ガラス板上に付着したゴミや埃等の汚れを容易に目視確認して、ガラス板の清掃を適切に行うために、ガラス板全体を光源（ランプ）によって間接的に照射させる画像読取装置が提案されている。
【先行技術文献】
【特許文献】
【０００８】
【特許文献１】特開２００４−２９７４４３号公報
【発明の概要】
【発明が解決しようとする課題】
【０００９】
ところが、特許文献１に記載の画像読取装置では、埃等の光学的瑕疵がどの位置にあるのか、ガラス板全体に光を照射しただけでは判断しづらく、どの部品を清掃或いは交換したらよいのかもわからないため、メンテナンス作業性がよくない。
【００１０】
そこで、本発明は、埃等の光学的瑕疵がどこにあるのかを容易に判断でき、これにより、メンテナンス作業性を向上させることができる画像読取装置及びそれを備えた画像形成装置を提供することを目的とする。
【課題を解決するための手段】
【００１１】
本発明は、前記課題を解決するために、原稿に向けて光を照射する複数の発光素子を主走査方向に列設した光源と、前記原稿からの反射光を受光する光電変換素子とを備えた画像読取装置であって、前記複数の発光素子を発光素子毎に個別に駆動可能とされており、前記光源と前記光電変換素子との間の光路上における光学的瑕疵によって発生し得る瑕疵画像の状態を判定し、該瑕疵画像の状態の判定結果に基づき前記光学的瑕疵の前記主走査方向における瑕疵位置を特定し、該特定した瑕疵位置を前記複数の発光素子の発光パターンによって報知することを特徴とする画像読取装置を提供する。
【００１２】
また、本発明は、前記本発明に係る画像読取装置を備えていることを特徴とする画像形成装置も提供する。
【００１３】
本発明に係る画像読取装置並びに画像形成装置によれば、前記光源と前記光電変換素子との間の光路上における光学的瑕疵（例えば、ガラス板などの透明板に付着しているゴミ、埃、汚れなどの異物や、ガラス板などの透明板に付いた傷等）によって発生し得る瑕疵画像（例えば、斑点等の孤立画像や副走査方向に連続したスジ画像等）の状態の判定結果に基づき前記光学的瑕疵の前記主走査方向における瑕疵位置を特定し、該特定した瑕疵位置を前記複数の発光素子の発光パターンによって報知するので、埃等の光学的瑕疵がどこにあるのかを視覚的に容易に判断でき、これにより、メンテナンス作業性を向上させることができる。
【００１４】
本発明において、前記瑕疵画像の状態を検出するための基準画像に対して前記複数の発光素子から光を照射して該基準画像から反射した反射光を前記光電変換素子で読み取り、前記光電変換素子で読み取った読取値と、予め設定しておいた設定範囲とを比較し、前記読取値が前記設定範囲の範囲外にある場合には、該範囲外にある読取値に対応する発光素子を前記瑕疵位置に対応する発光素子として特定する態様を例示できる。
【００１５】
この態様では、前記基準画像を前記光電変換素子で読み取った読取値と、予め設定しておいた設定範囲とを比較して、前記瑕疵画像の状態を判定するので、該判定を容易に行うことができる。
【００１６】
本発明において、前記発光パターンとしては、前記瑕疵位置に対応する発光素子を点灯させる発光パターンであってもよいし、前記瑕疵位置に対応する発光素子を点滅させる発光パターンであってもよい。
【００１７】
このように、前記発光パターンとして前記瑕疵位置に対応する発光素子に対して点灯や点滅させたりすることで、埃等の光学的瑕疵がどこにあるのかを確実に明示することが可能となる。
【００１８】
本発明において、第１の透明板（例えば原稿読取ガラス）上を通過するように副走査方向に搬送される原稿を読取位置に位置する前記光源にて該第１の透明板を介して照明し、かつ、該光源により照明された原稿からの反射光を前記主走査方向に走査して原稿画像を読み取る原稿移動読取構成と、前記光源を前記副走査方向に移動させつつ第２の透明板（例えばプラテンガラス）上に載置される原稿を該第２の透明板を介して照明し、かつ、該光源により照明された原稿からの反射光を前記主走査方向に走査して原稿画像を読み取る原稿固定読取構成とのうち、少なくとも一方の読取構成を備えていてもよい。
【００１９】
本発明において、前記原稿移動読取構成において前記瑕疵位置を前記複数の発光素子の発光パターンによって報知する場合には、前記第１の透明板に対応する位置で前記光源を停止させた状態で前記発光パターンを発光させる態様を例示できる。
【００２０】
この態様では、前記光学的瑕疵が前記原稿移動読取構成で発生したことをユーザーやサービスマン等の操作者に知らせることができる。
【００２１】
本発明において、前記原稿固定読取構成において前記瑕疵位置を前記複数の発光素子の発光パターンによって報知する場合には、前記第２の透明板に対応する位置で前記光源を停止させた状態で前記発光パターンを発光させる態様を例示できる。
【００２２】
この態様では、前記光学的瑕疵が前記原稿固定読取構成で発生したことを操作者に知らせることができる。
【００２３】
本発明において、前記原稿固定読取構成において前記瑕疵位置を前記複数の発光素子の発光パターンによって報知する場合には、前記光源を前記副走査方向に移動させつつ前記発光パターンを発光させる態様を例示できる。
【００２４】
この態様では、前記光学的瑕疵が前記原稿固定読取構成で発生したことを操作者に注意喚起させることができる。
【００２５】
本発明において、前記原稿固定読取構成において前記瑕疵位置を前記複数の発光素子の発光パターンによって報知するにあたり、前記瑕疵画像が前記副走査方向に連続したスジ画像であるか、或いは、孤立した孤立画像であるかを判定する態様を例示できる。
【００２６】
この態様では、前記瑕疵画像が前記孤立画像であると判定した場合には、前記光学的瑕疵が前記第２の透明板（例えばプラテンガラス）にあるとみなすことができる。一方、前記瑕疵画像が前記スジ画像であると判定した場合には、前記光学的瑕疵が、例えば、前記光源やその反射部材、ミラー等の部材にあるとみなすことができる。
【００２７】
本発明において、前記原稿固定読取構成において前記瑕疵画像が前記孤立画像である場合には、前記副走査方向における前記孤立画像に対応する前記瑕疵位置を特定し、該特定した瑕疵位置に対応する位置で前記光源を停止させた状態で前記発光パターンを発光させる態様を例示できる。
【００２８】
この態様では、前記原稿固定読取構成で発生した前記光学的瑕疵の前記副走査方向における位置を操作者に知らせることができる。
【００２９】
本発明において、前記原稿固定読取構成において前記瑕疵画像が前記副走査方向に複数箇所ある場合には、前記副走査方向における前記複数箇所の孤立画像にそれぞれ対応する複数箇所の前記瑕疵位置を特定し、該特定した複数箇所の瑕疵位置に対応する位置に前記光源を移動させる態様を例示できる。
【００３０】
この態様では、前記原稿固定読取構成の複数箇所で発生した前記光学的瑕疵の前記副走査方向における位置を操作者に知らせることができる。
【００３１】
本発明において、前記原稿移動読取構成で前記基準画像を読み取る場合には、前記基準画像として前記第１の透明板に対向して配置された読取ガイド部材を読み取り、前記原稿固定読取構成で前記基準画像を読み取る場合には、前記基準画像として前記第２の透明板上に載置される原稿を保持する原稿押さえ部材を読み取り、前記読取値は、前記読取ガイド部材を読み取った第１の読取値と、前記原稿押さえ部材を読み取った第２の読取値とを含み、前記設定範囲は、前記第１の読取値と比較する第１の設定範囲と、前記第２の読取値と比較する第２の設定範囲とを含み、前記第１の設定範囲と前記第２の設定範囲とが互いに異なる態様を例示できる。
【００３２】
この態様では、前記読取ガイド部材を読み取る場合と前記原稿押さえ部材を読み取る場合とで前記基準画像が異なっている場合でも、瑕疵画像を良好に判定することが可能となる。
【００３３】
なお、本発明に係る画像読取装置は、複数のミラーとレンズとを備え、原稿からの反射光をミラーにてレンズに導き、かつ、該レンズにて光電変換素子として作用するレンズ縮小型イメージセンサに縮小画像を結像させて読み取る縮小光学系タイプの画像読取装置であってもよい。縮小光学系タイプの画像読取装置に用いられる光電変換素子としては、電荷結合素子（ＣＣＤ：Charge Coupled Devices）等の固体撮像素子を例示できる。
【００３４】
また、本発明に係る画像読取装置は、レンズアレイを備え、原稿からの反射光を該原稿に近接したレンズアレイにて光電変換素子として作用する密着型イメージセンサ（ＣＩＳ：Contact Image Sensor）に等倍画像を結像させて読み取る等倍光学系タイプの画像読取装置であってもよい。
【発明の効果】
【００３５】
以上説明したように、本発明によると、前記光源と前記光電変換素子との間の光路上における光学的瑕疵（例えば、ガラス板などの透明板に付着しているゴミ、埃、汚れなどの異物や、ガラス板などの透明板に付いた傷等）によって発生し得る瑕疵画像（例えば、斑点等の孤立画像や前記副走査方向に連続したスジ画像等）の状態の判定結果に基づき前記光学的瑕疵の前記主走査方向における瑕疵位置を特定し、該特定した瑕疵位置を前記複数の発光素子の発光パターンによって報知するので、埃等の光学的瑕疵がどこにあるのかを視覚的に容易に判断でき、これにより、メンテナンス作業性を向上させることができる。
【図面の簡単な説明】
【００３６】
【図１】本発明の実施の形態に係る画像読取装置を備えた画像形成装置を概略的に示す断面図である。
【図２】図１に示す画像読取装置を背面から視た概略断面図である。
【図３】光源ユニットの概略構成を示す図であって、（ａ）は、その斜視図であり、（ｂ）は、その分解斜視図である。
【図４】光源ユニットにおける光源の概略構成を示す図であって、（ａ）は、光源ユニットの側面図であり、（ｂ）は、光源の側面図である。
【図５】複数の発光素子を列設した基板の概略平面図である。
【図６】複数の発光素子が光照射領域を基準にして副走査方向の片側のみに配列されている一例を示す概略側面図である。
【図７】頂面発光を行う発光面を有する複数の発光素子の一例を示す概略側面図であって、（ａ）は、両側に配列された第１発光素子及び第２発光素子が頂面発光を行う一例を示す図であり、（ｂ）は、片側のみに配列された発光素子が頂面発光を行う一例を示す図である。
【図８】本実施の形態に係る画像読取装置の制御系の概略構成を示す図であって、画像読取装置における制御部を中心に示す制御ブロック図である。
【図９】光電変換素子で読み取った読取値のグラフであって、光電変換素子からの読取値（画素データ）と複数の発光素子とが対応付けられた状態を示す図である。
【図１０】光源と光電変換素子との間の光路上における光学的瑕疵によって瑕疵画像が発生する状態を示す図であって、（ａ）は、光源と光電変換素子との間の光路上に光学的瑕疵が存在している状態を示す図であり、（ｂ）は、光電変換素子で読み取った読取値（画素データ）のグラフである。
【図１１】原稿読取ガラスや読取ガイド部材上に光学的瑕疵が存在している例を示す平面図であって、瑕疵位置検出モードの一例を示す図である。
【図１２】プラテンガラスや原稿押さえ部材上に光学的瑕疵が存在している例を示す平面図であって、瑕疵位置検出モードの他の例を示す図である。
【図１３】原稿固定読取構成で原稿押さえ部材を読み取る場合に瑕疵画像がスジ画像であるか或いは孤立画像であるかの判定動作を説明するための図であって、（ａ）から（ｃ）は、瑕疵画像が孤立画像である場合のグラフを示す図であり、（ｄ）から（ｆ）は、瑕疵画像がスジ画像である場合のグラフを示す図である。
【図１４】プラテンガラスや原稿押さえ部材上に光学的瑕疵が存在している例を示す平面図であって、瑕疵位置検出モードのさらに他の例を示す図である。
【図１５】プラテンガラスや原稿押さえ部材上に光学的瑕疵が存在している例を示す平面図であって、瑕疵位置検出モードのさらに他の例を示す図である。
【図１６】プラテンガラスや原稿押さえ部材上に光学的瑕疵が複数箇所存在している例を示す平面図であって、瑕疵位置検出モードのさらに他の例を示す図である。
【図１７】光学的瑕疵が存在する状態において読取ガイド部材を読み取る場合と原稿押さえ部材を読み取る場合とで基準画像が異なる場合での光電変換素子で読み取った読取値（画素データ）のグラフであって、（ａ）は、読取ガイド部材を読み取った場合を示す図であり、（ｂ）は、原稿押さえ部材を読み取った場合を示す図である。
【図１８】図１７に示すグラフにおいて、第１の読取値（画素データ）と比較する第１の設定範囲と、第２の読取値（画素データ）と比較する第２の設定範囲とを示したグラフであって、（ａ）は、読取ガイド部材を読み取った場合を示す図であり、（ｂ）は、原稿押さえ部材を読み取った場合を示す図である。
【図１９】瑕疵位置検出モードを実行する前に予め設定しておく初期設定の一例を示すフローチャートである。
【図２０】瑕疵位置検出モードの制御の一例を示すフローチャートであって、基準画像として読取ガイド部材を読み取る場合を示す図である。
【図２１】瑕疵位置検出モードの制御の一例を示すフローチャートであって、基準画像として原稿押さえ部材を読み取る場合を示す図である。
【発明を実施するための形態】
【００３７】
以下、本発明に係る実施の形態について図面を参照しながら説明する。なお、以下の実施の形態は、本発明を具体化した例であって、本発明の技術的範囲を限定する性格のものではない。
【００３８】
図１は、本発明の実施の形態に係る画像読取装置１００を備えた画像形成装置Ｄを概略的に示す断面図である。
【００３９】
図１に示す画像形成装置Ｄは、原稿Ｇ（後述する図２等参照）の画像を読み取る画像読取装置１００と、この画像読取装置１００により読み取られた原稿Ｇの画像又は外部から受信した画像をカラーもしくは単色で普通紙等の記録シートに記録形成する装置本体Ｄｄとを備えている。
【００４０】
［画像形成装置の全体構成について］
画像形成装置Ｄの装置本体Ｄｄは、露光装置１、現像装置２（２ａ，２ｂ，２ｃ，２ｄ）、像担持体として作用する感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、転写部として作用する中間転写ローラ６（６ａ，６ｂ，６ｃ，６ｄ）を含む中間転写ベルト装置８、定着装置１２、シート搬送装置５０、給紙部として作用する給紙トレイ１０、及び排紙部として作用する排紙トレイ１５を備えている。
【００４１】
画像形成装置Ｄの装置本体Ｄｄにおいて扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。従って、現像装置２（２ａ，２ｂ，２ｃ，２ｄ）、感光体ドラム３（３ａ，３ｂ，３ｃ，３ｄ）、帯電器５（５ａ，５ｂ，５ｃ，５ｄ）、クリーナ装置４（４ａ，４ｂ，４ｃ，４ｄ）、中間転写ローラ６（６ａ，６ｂ，６ｃ，６ｄ）は各色に応じた４種類の画像を形成するようにそれぞれ４個ずつ設けられ、それぞれの末尾符号ａ〜ｄのうち、ａがブラックに、ｂがシアンに、ｃがマゼンタに、ｄがイエローに対応付けられて、４つの画像ステーションが構成されている。以下、末尾符号ａ〜ｄは省略して説明する。
【００４２】
感光体ドラム３は、装置本体Ｄｄの上下方向のほぼ中央に配置されている。帯電器５は、感光体ドラム３の表面を所定の電位に均一に帯電させるための帯電手段であり、接触型であるローラ型やブラシ型の帯電器のほか、チャージャ型の帯電器が用いられる。
【００４３】
露光装置１は、ここでは、レーザダイオード及び反射ミラーを備えたレーザスキャニングユニット（ＬＳＵ）であり、帯電された感光体ドラム３表面を画像データに応じて露光して、その表面に画像データに応じた静電潜像を形成する。
【００４４】
現像装置２は、感光体ドラム３上に形成された静電潜像を（Ｋ，Ｃ，Ｍ，Ｙ）のトナーにより現像する。クリーナ装置４は、現像及び画像転写後に感光体ドラム３表面に残留したトナーを除去及び回収する。
【００４５】
感光体ドラム３の上方に配置されている中間転写ベルト装置８は、中間転写ローラ６に加えて、中間転写ベルト７、中間転写ベルト駆動ローラ２１、従動ローラ２２、テンションローラ２３、及び中間転写ベルトクリーニング装置９を備えている。
【００４６】
中間転写ベルト駆動ローラ２１、中間転写ローラ６、従動ローラ２２、テンションローラ２３等のローラ部材は、中間転写ベルト７を張架して支持し、中間転写ベルト７を所定のシート搬送方向（図中矢印方向）に周回移動させる。
【００４７】
中間転写ローラ６は、中間転写ベルト７内側に回転可能に支持され、中間転写ベルト７を介して感光体ドラム３に圧接されている。
【００４８】
中間転写ベルト７は、各感光体ドラム３に接触するように設けられており、各感光体ドラム３表面のトナー像を中間転写ベルト７に順次重ねて転写することによって、カラーのトナー像（各色のトナー像）を形成する。この転写ベルト７は、ここでは、厚さ１００μｍ〜１５０μｍ程度のフィルムを用いて無端ベルト状に形成されている。
【００４９】
感光体ドラム３から中間転写ベルト７へのトナー像の転写は、中間転写ベルト７内側（裏面）に圧接されている中間転写ローラ６によって行われる。中間転写ローラ６には、トナー像を転写するために高電圧の転写バイアス（例えば、トナーの帯電極性（−）とは逆極性（＋）の高電圧）が印加される。中間転写ローラ６は、ここでは、直径８〜１０ｍｍの金属（例えばステンレス）軸をベースとし、その表面は、導電性の弾性材（例えばＥＰＤＭ、発泡ウレタン等）により覆われたローラである。この導電性の弾性材により、中間転写ベルト７に対して均一に高電圧を印加することができる。
【００５０】
画像形成装置Ｄの装置本体Ｄｄは、転写部として作用する転写ローラ１１ａを含む２次転写装置１１をさらに備えている。転写ローラ１１ａは、中間転写ベルト７の中間転写ベルト駆動ローラ２１とは反対側（外側）に接触している。
【００５１】
上述の様に各感光体ドラム３表面のトナー像は、中間転写ベルト７で積層され、画像データによって示されるカラーのトナー像となる。このように積層された各色のトナー像は、中間転写ベルト７と共に搬送され、２次転写装置１１によって記録シート上に転写される。
【００５２】
中間転写ベルト７と２次転写装置１１の転写ローラ１１ａとは、相互に圧接されてニップ域を形成する。また、２次転写装置１１の転写ローラ１１ａには、中間転写ベルト７上の各色のトナー像を記録シートに転写させるための電圧（例えば、トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラや発泡性樹脂ローラ等）としている。
【００５３】
また、２次転写装置１１によって中間転写ベルト７上のトナー像が記録シート上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、例えばクリーニング部材として中間転写ベルト７に接触するクリーニングブレードが備えられており、このクリーニングブレードで残留トナーを除去及び回収することができる。従動ローラ２２は、中間転写ベルト７を内側（裏側）から支持しており、クリーニングブレードは、外部から従動ローラ２２に向けて押圧するように中間転写ベルト７に接触している。
【００５４】
給紙トレイ１０は、記録シートを格納しておくためのトレイであり、装置本体Ｄｄの画像形成部の下側に設けられている。また、画像形成部の上側に設けられている排紙トレイ１５は、印刷済みの記録シートをフェイスダウンで載置するためのトレイである。
【００５５】
また、装置本体Ｄｄには、給紙トレイ１０の記録シートを２次転写装置１１や定着装置１２を経由させて排紙トレイ１５に送るためのシート搬送装置５０が設けられている。このシート搬送装置５０は、Ｓの字形状のシート搬送路Ｓを有し、シート搬送路Ｓに沿って、ピックアップローラ１６、サバキローラ１４ａ、分離ローラ１４ｂ、各搬送ローラ１３、レジスト前ローラ対１９、レジストローラ対１０６、定着装置１２、及び排紙ローラ１７等の搬送部材が配置されている。
【００５６】
ピックアップローラ１６は、給紙トレイ１０のシート搬送方向下流側端部に設けられ、給紙トレイ１０から記録シートを１枚ずつシート搬送路Ｓに供給する呼び込みローラである。サバキローラ１４ａは、分離ローラ１４ｂとの間に記録シートを通過させて１枚ずつ分離しつつシート搬送路Ｓへと搬送する。各搬送ローラ１３及びレジスト前ローラ対１９は、記録シートの搬送を促進補助するための小型のローラである。各搬送ローラ１３は、シート搬送路Ｓに沿って複数箇所に設けられている。レジスト前ローラ対１９は、レジストローラ対１０６のシート搬送方向上流側の直近に設けられており、記録シートをレジストローラ対１０６へと搬送するようになっている。
【００５７】
レジストローラ１０６は、レジスト前ローラ１９にて搬送されてきた記録シートを一旦停止させて、記録シートの先端を揃え、中間転写ベルト７と２次転写装置１１間のニップ域で中間転写ベルト７上のカラートナー像が記録シートに転写されるように、感光体ドラム３及び中間転写ベルト７の回転にあわせて、記録シートをタイミングよく搬送する。
【００５８】
例えば、レジストローラ１０６は、中間転写ベルト７と２次転写装置１１との間のニップ域で中間転写ベルト７上のカラートナー像の先端が記録シートにおける画像形成範囲の先端に合うように、記録シートを搬送する。
【００５９】
定着装置１２は、ヒートローラ３１及び加圧ローラ３２を備えている。ヒートローラ３１及び加圧ローラ３２は、記録シートを挟み込んで搬送する。
【００６０】
ヒートローラ３１は、所定の定着温度となるように温度制御され、加圧ローラ３２と共に記録シートを熱圧着することにより、記録シートに転写されたトナー像を溶融、混合、圧接し、記録シートに対して熱定着させる機能を有している。また、定着装置１２には、ヒートローラ３１を外部から加熱するための外部加熱ベルト３３が設けられている。
【００６１】
各色のトナー像の定着後での記録シートは、排紙ローラ１７によって排紙トレイ１５上に排出される。
【００６２】
なお、４つの画像形成ステーションのうち少なくとも一つを用いて、モノクロ画像を形成し、モノクロ画像を中間転写ベルト装置８の中間転写ベルト７に転写することも可能である。このモノクロ画像も、カラー画像と同様に、中間転写ベルト７から記録シートに転写され、記録シート上に定着される。
【００６３】
また、記録シートの表（オモテ）面だけではなく、両面の画像形成を行う場合は、記録シートの表面の画像を定着装置１２により定着した後に、記録シートをシート搬送路Ｓの排紙ローラ１７により搬送する途中で、排紙ローラ１７を停止させてから逆回転させ、記録シートを表裏反転経路Ｓｒに通して、記録シートの表裏を反転させてから、記録シートを再びレジストローラ対１０６へと導き、記録シートの表面と同様に、記録シートの裏面に画像を記録して定着し、記録シートを排紙トレイ１５に排出する。
【００６４】
［画像読取装置の全体構成について］
図２は、図１に示す画像読取装置１００を背面から視た概略断面図である。図１及び図２に示す画像読取装置１００は、縮小光学系タイプの画像読取装置とされており、原稿移動方式により原稿Ｇを移動させて原稿画像を読み取り、かつ、原稿固定方式により原稿Ｇを固定して原稿画像を読み取るように構成されている。
【００６５】
すなわち、画像読取装置１００は、原稿移動読取モードを実行する原稿移動読取構成（原稿移動読取機能）と原稿固定読取モードを実行する原稿固定読取構成（原稿固定読取機能）とを備えている。
【００６６】
原稿移動読取構成は、原稿Ｇを自動的に搬送する自動原稿送り装置３００で第１の透明板の一例である原稿読取ガラス２０１ａ上を通過するように副走査方向（図中矢印Ｙ方向）の一方側に搬送される原稿Ｇを、原稿読取部２００において読取位置Ｖに位置する光源ユニット２１０にて原稿読取ガラス２０１ａを介して照明しつつ光源ユニット２１０により照明された原稿Ｇからの反射光を主走査方向（後述する図３の矢印Ｘ方向）に走査して原稿画像を読み取る。
【００６７】
原稿固定読取構成は、光源ユニット２１０を副走査方向Ｙの一方側に移動させつつ第２の透明板の一例であるプラテンガラス（原稿台ガラス）２０１ｂ上に載置される原稿Ｇをプラテンガラス２０１ｂを介して照明し、光源ユニット２１０により照明された原稿Ｇからの反射光を主走査方向Ｘに走査して原稿画像を読み取る。なお、図２では光源ユニット２１０が読取位置Ｖに位置している状態を示している。
【００６８】
詳しくは、原稿読取部２００は、プラテンガラス２０１ｂ、走査体として作用する光源ユニット２１０、光源ユニット２１０を移動させる光学系駆動部５３０（図１及び図２では図示せず、後述する図８参照）、ミラーユニット２０３、集光レンズ２０４及び光電変換素子（ここではＣＣＤ）２０５を備えており、これらの部材は金属製の枠体２０２内に収容されている。光源ユニット２１０は、原稿Ｇへ向けて光を照射する光源２１１と、原稿Ｇからの反射光をミラーユニット２０３へ導く第１ミラー２３０とを有している。なお、光源ユニット２１０についてはのちほど詳しく説明する。
【００６９】
原稿Ｇを載置するプラテンガラス２０１ｂは、透明なガラス板からなり、主走査方向Ｘの両端部が枠体２０２に載置されている。なお、自動原稿送り装置３００は、副走査方向Ｙに沿った軸線回りに（例えばヒンジによって軸支され）原稿読取部２００に対して開閉可能となっており、その下面には、原稿読取部２００のプラテンガラス２０１ｂ上に載置された原稿Ｇを上から押さえる原稿押さえ部材３１９が設けられている。
【００７０】
ミラーユニット２０３は、第２ミラー２０３ａ、第３ミラー２０３ｂ及び支持部材（図示せず）を備えている。前記支持部材は、第２ミラー２０３ａを、光源ユニット２１０における第１ミラー２３０からの光を反射して第３ミラー２０３ｂに導くように支持している。また、前記支持部材は、第３ミラー２０３ｂを、第２ミラー２０３ａからの光を反射して集光レンズ２０４に導くように支持している。集光レンズ２０４は、第３ミラー２０３ｂからの光を光電変換素子２０５の受光面２０５ｄに集光するものである。光電変換素子２０５は、集光レンズ２０４からの光（原稿画像光）を繰り返し主走査方向Ｘに走査し、その度に、１走査ラインのアナログ信号を出力する。
【００７１】
また、光学系駆動部５３０は、ここでは、図示しないスキャナモータ及び図示しないプーリー及びワイヤー等の移動機構を備えており、これらスキャナモータ及び移動機構によって、光源ユニット２１０を一定の速度で副走査方向Ｙに移動させると共に、ミラーユニット２０３を光源ユニット２１０の移動速度の１／２の移動速度で同じく副走査方向Ｙに移動させるように構成されている。
【００７２】
ここでは、原稿読取部２００は、原稿固定方式に加えて、原稿移動方式にも対応しており、原稿読取ガラス２０１ａを備えている。従って、光学系駆動部５３０は、さらに、光源ユニット２１０を原稿読取ガラス２０１ａ下方の所定のホームポジションＶに位置させるように構成されている。
【００７３】
自動原稿送り装置３００は、原稿Ｇを搬送するために載置する原稿トレイ３０１と、この原稿トレイ３０１の下方に配置される排出トレイ３０２と、これらの間を接続する第１搬送路３０３と、上流側搬送ローラ対３０４及び下流側搬送ローラ対３０５とからなる２つの搬送ローラ対とを備えている。
【００７４】
上流側搬送ローラ対３０４は、原稿読取ガラス２０１ａを基準にして原稿Ｇを原稿Ｇの搬送方向Ｙ１において上流側で搬送する。下流側搬送ローラ対３０５は、原稿読取ガラス２０１ａを基準にして原稿Ｇを原稿Ｇの搬送方向Ｙ１において下流側で搬送する。すなわち、上流側搬送ローラ対３０４、原稿読取ガラス２０１ａ及び下流側搬送ローラ対３０５は、搬送方向Ｙ１に沿ってこの順に配設されている。また、原稿読取ガラス２０１ａは、第１搬送路３０３の搬送壁を画するように略水平に設けられている。
【００７５】
自動原稿送り装置３００は、さらに、ピックアップローラ３０６と、サバキローラ３０７と、分離パッド等の分離部材３０８とを備えている。
【００７６】
ピックアップローラ３０６は、原稿トレイ３０１上に載置された原稿Ｇを原稿トレイ３０１から搬送方向Ｙ１に沿って第１搬送路３０３内へ送り出すものである。サバキローラ３０７は、ピックアップローラ３０６より搬送方向Ｙ１の下流側に配置されており、ピックアップローラ３０６にて送られてきた原稿Ｇを分離部材３０８と共に挟持しつつさらに搬送方向Ｙ１の下流側へ搬送するものである。分離部材３０８は、サバキローラ３０７に対峙された状態でサバキローラ３０７との間に搬送される原稿Ｇが１枚になるように原稿Ｇを捌く（分離する）ようになっている。
【００７７】
かかる構成を備えた自動原稿送り装置３００は、原稿Ｇをピックアップローラ３０６にてサバキローラ３０７と分離部材３０８との間に搬送し、ここで原稿Ｇを捌いて分離すると共にサバキローラ３０７が回転駆動されることによって１枚ずつ搬送するようになっている。そして、サバキローラ３０７にて搬送される原稿Ｇを第１搬送路３０３にて案内して上流側搬送ローラ対３０４に向けて１枚ずつ供給するようになっている。
【００７８】
詳しくは、ピックアップローラ３０６は、原稿トレイ３０１に積載された原稿Ｇに対して、図示しないピックアップローラ駆動部にて接離可能とされている。また、ピックアップローラ３０６は、無端ベルト等を含む駆動伝達手段３０９を介してサバキローラ３０７と同方向に回転するようにサバキローラ３０７に連結されている。ピックアップローラ３０６及びサバキローラ３０７は、原稿Ｇの読み取り要求がなされると、図示しない原稿供給駆動部にて原稿Ｇを搬送方向Ｙ１に搬送させる方向（図２中矢印Ｗ）に回転駆動されるようになっている。
【００７９】
本実施の形態では、自動原稿送り装置３００は、原稿Ｇの一方の面を読み取り可能に搬送した後、原稿Ｇを表裏が逆転するように反転させて原稿Ｇの他方の面を読み取り可能に搬送するように構成されている。
【００８０】
詳しくは、自動原稿送り装置３００は、前記の構成に加えて、さらに、反転ローラ対３１０と、第２搬送路３１１と、切換爪３１２とを備えている。
【００８１】
第１搬送路３０３は、原稿Ｇをサバキローラ３０７から上流側搬送ローラ対３０４、原稿読取ガラス２０１ａ、下流側搬送ローラ対３０５及び反転ローラ対３１０を経て排出トレイ３０２へ搬送するようにループ状に形成されている。反転ローラ対３１０は、下流側搬送ローラ対３０５よりも搬送方向Ｙ１の下流側に配設され、かつ、下流側搬送ローラ対３０５からの原稿Ｇを後端（搬送方向Ｙ１の上流側端）が前になるように搬送するためのものである。第２搬送路３１１は、反転ローラ対３１０と下流側搬送ローラ対３０５との間の分岐部Ｓｄから分岐され、かつ、反転ローラ対３１０にて後端が前になるように搬送された原稿Ｇを原稿Ｇの表裏が逆転するように反転させるために第１搬送路３０３の上流側搬送ローラ対３０４よりも搬送方向Ｙ１の上流側へ導くものである。第１搬送路３０３の反転ローラ対３１０と分岐部Ｓｄとの間には、スイッチバック搬送路３１３が形成されている。このスイッチバック搬送路３１３は、反転ローラ対３１０の順方向（原稿Ｇの搬送方向Ｙ１）の回転による原稿Ｇの搬送と、逆方向の回転による原稿Ｇの逆搬送とが可能な搬送路とされている。
【００８２】
切換爪３１２は、分岐部Ｓｄに配置され、かつ、原稿Ｇを反転ローラ対３１０から第２搬送路３１１を介して上流側搬送ローラ対３０４へ導く第１切換姿勢と、原稿Ｇを下流側搬送ローラ対３０５からスイッチバック搬送路３１３を介して反転ローラ対３１０へ導く第２切換姿勢とをとり得るように構成されている。
【００８３】
ここでは、切換爪３１２は、通常状態では、スイッチバック搬送路３１３と第２搬送路３１１とを直結する形態で配置され（第１切換姿勢、図２中実線参照）、原稿読取部２００で原稿画像が読み取られた原稿Ｇが搬送方向Ｙ１に搬送される際には、原稿Ｇの先端（搬送方向Ｙ１下流側端）が切換爪３１２を押し上げて原稿Ｇをスイッチバック搬送路３１３へ導くようになっている（第２切換姿勢、図中破線参照）。この分岐爪３１２は、爪部３１２ａが自重で落下し、下流側搬送ローラ対３０５と反転ローラ対３１０との間の第１搬送路３０３を閉塞して前記第１切換姿勢をとるように反転ローラ対３１１の軸線方向に沿った揺動軸Ｑの回りに揺動自在とされている。そして、切換爪３１２は、原稿Ｇの後端がスイッチバック搬送路３１３内に位置し、原稿Ｇが逆方向に回転する反転ローラ対３１０にて原稿Ｇの搬送方向Ｙ１とは反対方向の逆搬送方向（図中矢印Ｙ２方向）に逆搬送される際には、原稿Ｇを第２搬送路３１１へ導くようになっている。
【００８４】
なお、原稿トレイ３０１に載置された原稿Ｇのサイズは、原稿トレイ３０１の原稿載置部に配設された原稿サイズセンサ３１４で検出されるようになっている。原稿トレイ３０１に載置された原稿Ｇの有無は、原稿トレイ３０１の原稿載置部のピックアップローラ３０６近傍に配設された原稿有無検知センサ３１５で検出されるようになっている。また、上流側搬送ローラ対３０４は、停止状態においてサバキローラ３０７にて搬送された原稿Ｇの先端を突き合わせて整合し、読み取りタイミングに合わせて回転駆動されるようになっている。こうして搬送される原稿Ｇは、第１搬送路３０３の搬送方向Ｙ１において第２搬送路３１１より下流側、かつ、上流側搬送ローラ対３０４より下流側に配設された搬送センサ３１６で検出されるようになっている。また、反転ローラ対３１０にて排出される原稿Ｇは、反転ローラ対３１０より排出側で反転ローラ対３１０近傍に配設された排出センサ３１７で検出されるようになっている。なお、搬送ローラ対３０４，３０５、反転ローラ対３１０等の搬送系ローラは、図示しない搬送系の駆動部にて駆動されるようになっている。
【００８５】
また、本実施の形態においては、原稿搬送部２００は、読取ガイド部材３１８をさらに備えている。具体的には、読取ガイド部材（ここでは読取ガイド板）３１８は、原稿読取ガラス２０１ａと対向する位置に設けられた読取ガイド部材とされている。つまり、読取ガイド部材３１８は、搬送される原稿Ｇを原稿読取ガラス２０１ａと共に案内する読取ガイドとして機能するようになっている。ここでは、読取ガイド部材３１８は、デジタル画像信号の値をフラットにするシェーディング補正時に読み取るための白基準部材を兼用している。
【００８６】
以上説明した画像読取装置１００では、原稿固定方式による原稿Ｇの読み取り指示がなされると、光源ユニット２１０はプラテンガラス２０１ｂに載置される原稿Ｇに対して光をプラテンガラス２０１ｂを介して照射しながら一定の速度で副走査方向Ｙの一方側に移動して原稿Ｇの画像を走査し、それと同時にミラーユニット２０３は光源ユニット２１０の移動速度の１／２の移動速度で同じく副走査方向Ｙの一方側に移動する。
【００８７】
光源ユニット２１０にて照明されて原稿Ｇから反射された反射光は、光源ユニット２１０に設けられた第１ミラー２３０で反射したのち、ミラーユニット２０３の第２及び第３ミラー２０３ａ，２０３ｂによって１８０°光路変換される。第３ミラー２０３ｂから反射された光は、集光レンズ２０４を介して光電変換素子２０５の受光面２０５ｄに結像し、ここで原稿画像光が読み取られてアナログ信号に変換される。
【００８８】
一方、原稿移動方式による原稿Ｇの読み取り指示がなされると、光源ユニット２１０が図２に示される位置Ｖに静止したまま、自動原稿送り装置３００によって原稿Ｇが図２に示される位置Ｖの上部を通過するように副走査方向Ｙの一方側に搬送される。すなわち、原稿トレイ３０１に載置された原稿Ｇは、ピックアップローラ３０６によって取り出され、サバキローラ３０７及び分離部材３０８によって１枚ずつに分離され、第１搬送路３０３に搬送される。第１搬送路３０３に搬送された原稿Ｇは、搬送センサ３１６で原稿Ｇの搬送が確認された後、上流側搬送ローラ対３０４によって、斜行防止のために先端が揃えられると共に、規定の読み取りタイミングで送り出され、表裏が反転されて原稿読取ガラス２０１ａへと搬送される。
【００８９】
そして、原稿読取ガラス２０１上を通過した原稿Ｇの一方の面に、光源ユニット２１０からの光が原稿読取ガラス２０１を介して照射されて該一方の面で反射される。この原稿Ｇの一方の面から反射された光は、上述の原稿固定方式と同様に第１ミラー２３０によって反射された後、ミラーユニット２０３の第２及び第３ミラー２０３ａ，２０３ｂによって１８０°光路変換され、集光レンズ２０４を介して光電変換素子２０５の受光面２０５ｄに結像し、ここで原稿画像が読み取られてアナログ信号に変換される。なお、この光電変換素子２０５による読み取り動作は、後述する両面読み取りの場合も同様であり、以下では説明を省略する。
【００９０】
読み取りが終了した原稿Ｇは、下流側搬送ローラ対３０５によって読取ガラス２０１ｂ上から引き出され、第１搬送路３０３のスイッチバック搬送路３１３を介して、可逆回転可能な反転ローラ対３１０によって排出トレイ３０２上に排出される。
【００９１】
また、原稿Ｇの一方の面と他方の面との両面を読み取る場合には、一方の面が読み取られた原稿Ｇが排出トレイ３０２に排出されることなく、原稿Ｇの後端がスイッチバック搬送路３１３内に位置するように搬送され、逆方向に回転する反転ローラ対３１０にて逆搬送方向Ｙ２に逆搬送されて第１切換姿勢にある切換爪３１２にて第２搬送路３１１へ導かれる。第２搬送路３１１に導かれた原稿Ｇは、第２搬送路３１１を介して、再度、第１搬送路３０３に戻ることで、表裏が反転されて上流側搬送ローラ対３０４にて搬送され、原稿読取ガラス２０１上を通過して他方の面が読み取られる。こうして両面の読み取りが終わった原稿Ｇは、再度、第１搬送路３０３に戻ることで、表裏が反転されて搬送ローラ対３０４，３０５にて搬送され、その後、第１搬送路３０３のスイッチバック搬送路３１３を通過し、順方向に回転する反転ローラ対３１０を介して排出トレイ３０２に排出される。
【００９２】
図３は、光源ユニット２１０の概略構成を示す図である。図３（ａ）は、その斜視図を示しており、図３（ｂ）は、その分解斜視図を示している。図４は、光源ユニット２１０における光源２１１の概略構成を示す図であって、図４（ａ）は、光源ユニット２１０の側面図を示しており、図４（ｂ）は、光源２１１の側面図を示している。なお、図４においては、原稿読取ガラス２０１ａ、プラテンガラス２０１ｂ及び原稿Ｇも図示している。
【００９３】
また、図５は、複数の発光素子２１２，…を列設した基板２１３の概略平面図を示している。
【００９４】
本発明の実施形態に係る光源ユニット２１０は、基板（以下、光源基板という）２１３上に列設された複数の発光素子２１２，…からの光を原稿Ｇの光照射面Ｇｄに向けて照射するようになっている。
【００９５】
この光源ユニット２１０に備えられている光源２１１は、複数の発光素子２１２，…と、それを搭載する光源基板２１３とを備えている。複数の発光素子２１２，…は、何れも発光ダイオード（ＬＥＤ）素子とされている。各発光素子２１２，…は、所定の一方向に強い指向特性を有している。各発光素子２１２，…から射出される光のうち光束が最も強くなる方向が光軸Ｌとされている。なお、各発光素子は、同じタイプのものとされている。
【００９６】
複数の発光素子２１２，…は、原稿Ｇにおける主走査方向Ｘに延びる一定の光照射領域Ｌｄ側に向けて光を照射するものである。この光照射領域Ｌｄが原稿読取位置とされる。
【００９７】
本実施の形態では、複数の発光素子２１２，…は、光照射領域Ｌｄを基準にして、主走査方向Ｘに直交する光照射面Ｇｄに沿った副走査方向Ｙの両側に列設されている。複数の発光素子２１２，…は、各光軸Ｌが主走査方向Ｘに対して直角になるように配置されている。
【００９８】
詳しくは、複数の発光素子２１２，…は、副走査方向Ｙの両側のうち、一方側には複数の第１発光素子２１２ａ，…が主走査方向Ｘに列設されており、他方側には複数の第２発光素子２１２ｂ，…が主走査方向Ｘに列設されている。すなわち、複数の発光素子２１２，…は、第１発光素子２１２ａ，…で構成される第１発光素子列２２０ａと複数の第２発光素子２１２ｂ，…で構成される第２発光素子列２２０ｂとの２列に配置されている。
【００９９】
光源基板２１３は、主走査方向Ｘに延びる互いに平行な第１及び第２光源基板２１３ａ，２１３ｂからなっている。第１光源基板２１３ａには、複数の第１発光素子２１２ａ，…が搭載され、第２光源基板２１３ｂには、複数の第２発光素子２１２ｂ，…が搭載されている。
【０１００】
また、本実施の形態では、複数の第１発光素子２１２ａ，…及び複数の第２発光素子２１２ｂ，…の各発光素子ピッチ（主走査方向Ｘにおける素子中心間の距離）Ｐは、何れも同一の距離とされている。さらに、第１発光素子列２２０ａ及び第２発光素子列２２０ｂにおいて、第１発光素子２１２ａ，…及び第２発光素子２１２ｂ，…は、ピッチ位置が副走査方向Ｙで揃うように（同一ピッチ位置構成で）配列されている。第１発光素子２１２ａ，…及び第２発光素子２１２ｂ，…は、ここでは、同数とされている。
【０１０１】
より具体的には、光源ユニット２１０は、発光素子アレイユニット２１５と、発光素子アレイユニット２１５が設けられたミラーベースユニット２１６とを備えている。
【０１０２】
発光素子アレイユニット２１５は、第１発光素子２１２ａ，…と、第１光源基板２１３ａと、第２発光素子２１２ｂ，…と、第２光源基板２１３ｂと、第１光源基板２１３ａ及び第２光源基板２１３ｂが設けられた基台２１４とを備えている。
【０１０３】
詳しくは、第１光源基板２１３ａ及び第２光源基板２１３ｂは、長手方向が主走査方向Ｘに向くように基台２１４に配置されている。基台２１４は、第１及び第２光源基板２１３ａ，２１３ｂを副走査方向Ｙに所定の間隔をあけて主走査方向Ｘ両端側でビス等の固定部材ＳＣにて固定している。こうして、第１発光素子２１２ａ，…と第２発光素子２１２ｂ，…とが、光照射領域Ｌｄを基準にして、副走査方向Ｙの両側に主走査方向Ｘに沿ってそれぞれ列設されている。
【０１０４】
基台２１４には、さらに、第１光源基板２１３ａと第２光源基板２１３ｂとの間において、原稿Ｇからの反射光Ｌ１を通過させるための主走査方向Ｘに沿って延びる開口（ここではスリット）Ｒが形成されている。このスリットＲは、原稿の読み取りの際には、原稿読取位置である光照射領域Ｌｄの下方に配置される。第１発光素子列２２０ａ及び第２発光素子列２２０ｂは、スリットＲの短手方向の両側に配列されている。
【０１０５】
ミラーベースユニット２１６には、第１ミラー２３０が設けられている。詳しくは、第１ミラー２３０は、原稿Ｇの光照射面Ｇｄで反射した光を基台２１４に設けられたスリットＲを介してミラーユニット２０３の第２ミラー２０３ａに導くようにミラーベースユニット２１６の主走査方向Ｘに沿った開口２１６ａに挿通された状態で支持されている。
【０１０６】
また、本実施の形態では、図４（ｂ）に示すように、複数の第１発光素子２１２ａ，…及び複数の第２発光素子２１２ｂ，…は、それぞれ、搭載される第１光源基板２１３ａ及び第２光源基板２１３ｂの発光素子の配置面Ｆに対して光軸Ｌが平行になるように光を射出するサイド発光を行う発光面Ｅ１を有している。具体的には、第１発光素子２１２ａ，…を搭載した第１光源基板２１３ａと、第２発光素子２１２ｂ，…を搭載した第２光源基板２１３ｂとは、側面視において光軸Ｌの方向が光照射領域Ｌｄ側へ向くように原稿Ｇ側とは反対側が開いた「ハの字」形に配置されている。なお、光照射領域Ｌｄは、第１光源基板２１３ａ及び第２光源基板２１３ｂの中間に位置している。
【０１０７】
以上説明した光源ユニット２１０の構成では、複数の発光素子２１２，…は、光照射領域Ｌｄを基準にして、副走査方向Ｙの両側に配列されているが、片側のみに配列されていてもよい。
【０１０８】
図６は、複数の発光素子２１２，…が光照射領域Ｌｄを基準にして副走査方向Ｙの片側のみに配列されている一例を示す概略側面図である。
【０１０９】
図６に示す複数の発光素子２１２，…は、光照射領域Ｌｄを基準に副走査方向Ｙの片側に配置された光源基板２１３に搭載されており、配置面Ｆに対して光軸Ｌが平行になるように光を射出するサイド発光を行う発光面Ｅ１を有している。具体的には、光源基板２１３は、光軸Ｌの方向が光照射領域Ｌｄ側へ向くように傾斜配置されている。
【０１１０】
また、複数の発光素子２１２，…が両側に配列されているか或いは片側のみに配列されているかに拘わらず、搭載される光源基板２１３の配置面Ｆに対して光軸Ｌが垂直になるように光を射出する頂面発光を行ってもよい。
【０１１１】
図７は、頂面発光を行う発光面Ｅ２を有する複数の発光素子２１２，…の一例を示す概略側面図である。図７（ａ）は、両側に配列された第１発光素子２１２ａ，…及び第２発光素子２１２ｂ，…が頂面発光を行う一例を示しており、図７（ｂ）は、片側のみに配列された発光素子２１２，…が頂面発光を行う一例を示している。
【０１１２】
図７（ａ）に示すように、第１発光素子２１２ａ，…及び第２発光素子２１２ｂ，…が頂面発光を行う発光面Ｅ２を有する場合には、光軸Ｌの方向が光照射領域Ｌｄ側へ向くように原稿Ｇ側が開いた逆「ハの字」形に第１光源基板２１３ａ及び第２光源基板２１３ｂを配置することができる。なお、光照射領域Ｌｄは、第１光源基板２１３ａ及び第２光源基板２１３ｂの中間に位置している。
【０１１３】
また、図７（ｂ）に示すように、発光素子２１２，…が片側のみに配列されている場合には、光軸Ｌの方向が光照射領域Ｌｄ側へ向くように光源基板２１３を傾斜配置することができる。
【０１１４】
このように発光素子は図４から図７に示す配置構成とすることができるが、発光素子が図５に示すように両側で同一ピッチ位置構成に配列されている場合には、図６及び図７（ｂ）に示すように発光素子が片側のみに配列されている構成に比べて発光素子数を２倍して照度を倍増させることができる。
【０１１５】
また、発光素子がサイド発光と頂面発光とのうち何れかの発光を行う場合、光源ユニット２１０内の構成部品の配置構成に応じて、サイド発光を行う構成と頂面発光を行う構成との使い分けを行うことで、光源ユニット２１０内の空いたスペースを有効に利用することができる。
【０１１６】
図８は、本実施の形態に係る画像読取装置１００の制御系の概略構成を示す図であって、画像読取装置１００における制御部４００を中心に示す制御ブロック図である。
【０１１７】
図８に示すように、本実施の形態に係る画像読取装置１００は、さらに、画像読取装置１００全体の制御を司る制御部４００と、信号処理部５１０と、記憶部５２０とを備えている。
【０１１８】
制御部４００は、主制御部４１０と、原稿読取制御部４２０と、画像処理部４３０と、発光素子制御部４４０とを備えている。
【０１１９】
主制御部４１０は、原稿読取制御部４２０、画像処理部４３０、発光素子制御部４４０、信号処理部５１０及び光学系駆動部５３０に接続されている。
【０１２０】
詳しくは、主制御部４１０は、ＣＰＵ等の処理部４１０ａと、ＲＯＭ及びＲＡＭ等のメモリを含む記憶部４１０ｂとを含むマイクロコンピュータからなっている。画像読取装置１００は、主制御部４１０の処理部４１０ａが記憶部４１０ｂのＲＯＭに予め格納された制御プログラムを記憶部４１０ｂのＲＡＭ上にロードして実行することにより、各種構成要素を制御するようになっている。なお、主制御部４１０は、画像形成装置Ｄに設けられた画像形成動作全体を制御する制御部（図示せず）にて指示されるようになっている。
【０１２１】
原稿読取制御部４２０は、主制御部４１０からの指示信号に基づき、光電変換素子２０５による原稿Ｇの読み取り動作を制御する。
【０１２２】
信号処理部５１０は、光電変換素子２０５に接続されており、主制御部４１０からの指示信号に基づき、光電変換素子２０５からの信号を処理する。信号処理部５１０は、ここでは、アナログフロントエンド（ＡＦＥ）ＩＣとされており、光電変換素子２０５からの出力信号（撮像信号）に対してＯＢ（Optical Blank）クランプ、ＣＤＳ（Correlated Double Sampling）、ＡＧＣ(Auto Gain Control)、ＡＤＣ（Analog-to-Digital Conversion）などの信号処理を行う。
【０１２３】
例えば、信号処理部５１０は、光電変換素子２０５からのアナログ信号を増幅し、該増幅されたアナログ信号をデジタル信号（ここでは８ビットデジタル画像信号）に変換する。
【０１２４】
画像処理部４３０は、主制御部４１０からの指示信号に基づき、Ａ／Ｄ変換されたデジタル信号に対して各種の画像処理を行うものであり、ここでは、画像処理用ＡＳＩＣ（Application Specific Integrated Circuit）とされている。
【０１２５】
発光素子制御部４４０は、発光素子２１２（１），…，２１２（ｎ）に接続されており、主制御部４１０からの指示信号に基づき、複数の発光素子２１２（１），…，２１２（ｎ）を発光素子毎に個別に駆動可能とされている。なお、ｎは発光素子の個数であり、２以上の値である。
【０１２６】
詳しくは、発光素子２１２（１），…，２１２（ｎ）は、直列に接続されており、該直列に接続された発光素子２１２（１），…，２１２（ｎ）の両側の端子が発光素子制御部４４０に接続されている。発光素子制御部４４０は、主制御部４１０接続されており、主制御部４１０からの指示信号によって、個々の発光素子２１２（１），…，２１２（ｎ）のオン／オフタイミングを発光素子毎に制御する。
【０１２７】
また、光電変換素子２０５からの読取値（画素データ）ＰＸ（１），…，ＰＸ（ｍ）と複数の発光素子２１２（１），…，２１２（ｎ）とが対応付けられている。なお、ｍは画素の個数であり、ｎよりも大きい値である。
【０１２８】
図９は、光電変換素子２０５で読み取った読取値のグラフであって、光電変換素子２０５からの読取値（画素データ）ＰＸ（１），…，ＰＸ（ｍ）と複数の発光素子２１２（１），…，２１２（ｎ）とが対応付けられた状態を示す図である。
【０１２９】
図９に示す読取値は、読取ガイド部材３１８又は原稿押さえ部材３１９を光電変換素子２０５にて読み取って得られた出力値をＡ／Ｄ変換したデジタル信号の値である。ここでは、０が黒色の階調となっており、２５５が白色の階調となっており、１〜２５４が中間調の階調となっている。この場合、シェーディング補正時に読み取るための白基準部材として作用する読取ガイド部材３１８を読み取ったデジタル信号の平均値としては、「２５０」程度を例示できる。
【０１３０】
図９に示すように、個々の発光素子２１２（１），…，２１２（ｎ）に対して、光電変換素子２０５からの画素データＰＸ（１），…，ＰＸ（ｍ）が均等に割り当てられている。
【０１３１】
図示例では、一つの発光素子２１２に対して連続した１０画素が対応付けられている。すなわち、発光素子２１２（１），２１２（２），…，２１２（ｎ）に対してそれぞれ画素データ（ＰＸ（１）〜ＰＸ（１０）），画素データ（ＰＸ（１１）〜ＰＸ（２０）），…，画素データ（ＰＸ（ｍ−９）〜ＰＸ（ｍ））が対応付けられている。この対応関係を示す設定テーブルＴＬは、記憶部５２０に予め記憶されている（図８参照）。
【０１３２】
発光素子制御部４４０は、個々の発光素子２１２（１），…，２１２（ｎ）を駆動する発光素子コントロールドライバー４４１と、個々の発光素子２１２（１），…，２１２（ｎ）を調光する調光部（ここでは調光回路）４４２（１），…，４４２（ｎ）とを備えている。発光素子コントロールドライバー４４１及び調光回路４４２（１），…，４４２（ｎ）は、主制御部４１０に接続されている。個々の発光素子２１２（１），…，２１２（ｎ）は、一端子が発光素子コントロールドライバー４４１に接続され、かつ、他端子が調光回路４４２（１），…，４４２（ｎ）にそれぞれ接続されている。
【０１３３】
ところで、光源２１１と光電変換素子２０５との間の光路上における光学的瑕疵（例えば、原稿読取ガラス２０１ａや読取ガイド部材３１８、或いは、プラテンガラス２０１ｂや原稿押さえ部材３１９に付着しているゴミ、埃、汚れなどの異物や、原稿読取ガラス２０１ａやプラテンガラス２０１ｂに付いた傷等）によって瑕疵画像（例えば、斑点等の孤立画像や副走査方向Ｙに連続したスジ画像等）が発生することがある。
【０１３４】
図１０は、光源２１１と光電変換素子２０５との間の光路上における光学的瑕疵Ｃによって瑕疵画像が発生する状態を示す図である。図１０（ａ）は、光源２１１と光電変換素子２０５との間の光路上に光学的瑕疵Ｃが存在している状態を示しており、図１０（ｂ）は、光電変換素子２０５で読み取った読取値（画素データ）のグラフを示している。
【０１３５】
なお、図１０では、原稿読取ガラス２０１ａでの読取状態とプラテンガラス２０１ｂでの読取状態とを一つの図で示している。また、図１０において、読取ガイド部材３１８及び原稿押さえ部材３１９は図示を省略している。このことは、後述する図１１、図１２及び図１４から図１６についても同様である。
【０１３６】
本実施の形態において、光源２１１と光電変換素子２０５との間で原稿読取ガラス２０１ａを経由する光路が第１の光路ＬＰ１とされ、光源２１１と光電変換素子２０５との間でプラテンガラス２０１ｂを経由する光路が第２の光路ＬＰ２とされる。
【０１３７】
図１０に示すように、原稿読取ガラス２０１ａや読取ガイド部材３１８、或いは、プラテンガラス２０１ｂや原稿押さえ部材３１９には、ゴミ、埃、汚れなどの異物が付着したり、傷が付いたりすることがある。
【０１３８】
そこで、本実施の形態においては、制御部４００は、複数の発光素子２１２（１），…，２１２（ｎ）の発光パターンによって光学的瑕疵Ｃの主走査方向Ｘにおける瑕疵位置を報知する瑕疵位置検出モードを実行するようになっている。
【０１３９】
すなわち、制御部４００は、光源２１１と光電変換素子２０５との間の光路ＬＰ１，ＬＰ２上における光学的瑕疵Ｃによって発生し得る瑕疵画像の状態（具体的には瑕疵画像の位置）を光電変換素子２０５からの読取値（画素データ）ＰＸ（１），…，ＰＸ（ｍ）によって判定し、該瑕疵画像の位置の判定結果に基づき光学的瑕疵Ｃの主走査方向Ｘにおける瑕疵位置を特定し、該特定した瑕疵位置を複数の発光素子２１２（１），…，２１２（ｎ）の発光パターンによって報知するように構成されている。
【０１４０】
詳しくは、制御部４００は、前記瑕疵画像の位置を検出するための基準画像に対して発光素子制御部４４０にて複数の発光素子２１２（１），…，２１２（ｎ）から光を照射して該基準画像から反射した反射光を光電変換素子２０５で読み取る。
【０１４１】
基準画像として、ここでは、原稿移動読取構成で基準画像を読み取る場合には、原稿読取ガラス２０１ａに対向して配置された読取ガイド部材３１８を読み取り、原稿固定読取構成で基準画像を読み取る場合には、プラテンガラス２０１ｂ上に載置される原稿Ｇを保持する原稿押さえ部材３１９を読み取る。
【０１４２】
また、制御部４００は、光電変換素子２０５で読み取った読取値（画素データ）ＰＸ（１），…，ＰＸ（ｍ）と、予め設定しておいた設定範囲ＰＸｍｉｎ〜ＰＸｍａｘ（図１０（ｂ）参照）とを判定部として作用する画像処理部４３０にて比較する。
【０１４３】
ここで、設定範囲ＰＸｍｉｎ〜ＰＸｍａｘは、光学的瑕疵Ｃの有無の判定基準となる光電変換素子２０５の読取値の範囲（例えば２４４〜２５０）である。
【０１４４】
なお、記憶部５２０には、設定範囲ＰＸｍｉｎ〜ＰＸｍａｘが予め設定（記憶）されている。この設定範囲ＰＸｍｉｎ〜ＰＸｍａｘは、後述する制御例のように初期設定モードを実行することによって設定しておくことができる。設定範囲ＰＸｍｉｎ〜ＰＸｍａｘは、予め実験等によって設定しておいてもよい。
【０１４５】
また、制御部４００は、読取値（画素データ）ＰＸ（１），…，ＰＸ（ｍ）が設定範囲ＰＸｍｉｎ〜ＰＸｍａｘ（例えば２４４〜２５０）の範囲外にある場合には、光学的瑕疵Ｃが存在するとして、該範囲外にある読取値（画素データ）ＰＸｉ（例えば極値で１２０）を画像処理部４３０にて判定する。
【０１４６】
また、制御部４００は、記憶部５２０に記憶されている設定テーブルＴＬを用いて、画像処理部４３０にて特定した読取値（画素データ）ＰＸｉに対応する発光素子２１２（ｊ）を瑕疵位置に対応する発光素子として主制御部４１０にて特定する。なお、ｊは範囲外にある読取値（画素データ）ＰＸｉに対応する発光素子２１２の添え字であり、１からｎまでの値である。
【０１４７】
範囲外にある読取値（画素データ）ＰＸｉに対応する発光素子２１２は、光学的瑕疵Ｃの状態によっては、１個とは限らず、連続した複数の個数とされる場合もある。すなわち、主走査方向Ｘにおける瑕疵位置が一箇所或いは複数箇所ある場合において、範囲外にある読取値（画素データ）ＰＸｉに対応する発光素子２１２は、一箇所の瑕疵位置或いは個々の瑕疵位置で、１個又は連続した複数の個数とされる。
【０１４８】
ここで、制御部４００は、範囲外にある読取値（画素データ）ＰＸｉが主走査方向Ｘで一又は複数連続して一箇所に存在している場合に、主走査方向Ｘにおける瑕疵位置を一箇所とすることができ、範囲外にある読取値（画素データ）ＰＸｉが主走査方向Ｘで一又は複数連続して複数箇所に存在している場合に、主走査方向Ｘにおける瑕疵位置を複数箇所とすることができる。
【０１４９】
さらに、制御部４００は、主制御部４１０にて特定した発光素子２１２（ｊ）を発光素子制御部４４０にて複数の発光素子２１２（１），…，２１２（ｎ）の発光パターンによって報知する。
【０１５０】
ここでは、制御部４００による発光素子２１２（１），…，２１２（ｎ）の発光パターンは、設定範囲ＰＸｍｉｎ〜ＰＸｍａｘの範囲外にある読取値（画素データ）に対応する発光素子２１２（ｊ）を点灯又は点滅（消灯と点灯との繰り返し動作）させる一方、それ以外の発光素子を消灯させる発光パターンとされている。
【０１５１】
以上説明した画像読取装置１００によれば、光源２１１と光電変換素子２０５との間の光路ＬＰ１，ＬＰ２上における光学的瑕疵Ｃによって発生し得る瑕疵画像の位置の判定結果に基づき光学的瑕疵Ｃの主走査方向Ｘにおける瑕疵位置を特定し、該特定した瑕疵位置を複数の発光素子２１２（１），…，２１２（ｎ）の発光パターンによって報知するので、埃等の光学的瑕疵Ｃがどこにあるのかを視覚的に容易に判断でき、これにより、メンテナンス作業性を向上させることができる。
【０１５２】
また、本実施の形態では、基準画像（ここでは読取ガイド部材３１８又は原稿押さえ部材３１９）を光電変換素子２０５で読み取った読取値（画素データ）ＰＸ（１），…，ＰＸ（ｍ）と、予め設定しておいた設定範囲ＰＸｍｉｎ〜ＰＸｍａｘとを比較して、前記瑕疵画像の位置を判定するので、該判定を容易に行うことができる。
【０１５３】
また、本実施の形態では、制御部４００による発光素子２１２（１），…，２１２（ｎ）の発光パターンとして設定範囲ＰＸｍｉｎ〜ＰＸｍａｘの範囲外にある読取値（画素データ）ＰＸｉに対応する発光素子２１２（ｊ）に対して点灯や点滅させたりすることで、埃等の光学的瑕疵がどこにあるのかを明確にすることが可能となる。
【０１５４】
また、制御部４００は、原稿移動読取構成で読取ガイド部材３１８を読み取る場合には、光学系駆動部５３０にて原稿読取ガラス２０１ａに対応する領域の副走査方向Ｙにおける何れかの位置（好ましくは読取位置Ｖ）で光源ユニット２１０（すなわち光源２１１）を停止させた状態で発光素子制御部４４０にて発光パターンを発光させてもよい。
【０１５５】
図１１は、原稿読取ガラス２０１ａや読取ガイド部材３１８上に光学的瑕疵Ｃが存在している例を示す平面図であって、瑕疵位置検出モードの一例を示している。
【０１５６】
図１１に示すように、原稿移動読取構成で読取ガイド部材３１８を読み取る場合には、発光パターンを発光させる際に、原稿読取ガラス２０１ａに対応する領域の副走査方向Ｙにおける何れかの位置で光源２１１を停止させることで、光学的瑕疵Ｃが原稿移動読取構成で発生したことをサービスマン等の操作者に知らせることができる。
【０１５７】
また、制御部４００は、原稿固定読取構成で原稿押さえ部材３１９を読み取る場合には、光学系駆動部５３０にてプラテンガラス２０１ｂに対応する領域の副走査方向Ｙにおける何れかの位置で光源ユニット２１０（すなわち光源２１１）を停止させた状態で発光素子制御部４４０にて発光パターンを発光させてもよい。
【０１５８】
図１２は、プラテンガラス２０１ｂや原稿押さえ部材３１９上に光学的瑕疵Ｃが存在している例を示す平面図であって、瑕疵位置検出モードの他の例を示している。
【０１５９】
図１２に示すように、原稿固定読取構成で原稿押さえ部材３１９を読み取る場合には、発光パターンを発光させる際に、プラテンガラス２０１ｂに対応する領域の副走査方向Ｙにおける何れかの位置で光源２１１を停止させることで、光学的瑕疵Ｃが原稿固定読取構成で発生したことを操作者に知らせることができる。
【０１６０】
ところで、原稿固定読取構成で原稿押さえ部材３１９を読み取る場合には、光学的瑕疵Ｃがプラテンガラス２０１ｂや原稿押さえ部材３１９にあると、斑点等の孤立画像が生じ、光学的瑕疵Ｃが光路ＬＰ２を経由する部材のうち、プラテンガラス２０１ｂ及び原稿押さえ部材３１９以外のスジ画像発生部材にあると、副走査方向Ｙに連続したスジ画像が生じる。なお、前記スジ画像発生部材としては、光源２１１及び光源２１１とプラテンガラス２０１ｂとの間の光路ＬＰ２を経由する部材を含む光源側部材（例えば光源２１１やその反射部材）、及び、プラテンガラス２０１ｂと光電変換素子２０５との間における光学系を構成する光学部材（例えばミラー２３０，２０３ａ，２０３ｂ）を例示できる。
【０１６１】
このため、制御部４００は、原稿固定読取構成で原稿押さえ部材３１９を読み取る場合には、瑕疵画像が副走査方向Ｙに連続したスジ画像であるか、或いは、孤立した孤立画像であるかを画像処理部４３０にて判定してもよい。
【０１６２】
図１３は、原稿固定読取構成で原稿押さえ部材３１９を読み取る場合に瑕疵画像がスジ画像であるか或いは孤立画像であるかの判定動作を説明するための図である。図１３（ａ）から図１３（ｆ）は、光電変換素子２０５で読み取った読取値の時間的に変化を示すグラフである。図１３（ａ）から図１３（ｃ）は、瑕疵画像が孤立画像である場合のグラフを示しており、図１３（ｄ）から図１３（ｆ）は、瑕疵画像がスジ画像である場合のグラフを示している。なお、図１３において、左側から右側に向けて連続して時間が経過している状態を示している。
【０１６３】
図１３（ａ）及び図１３（ｃ）に示すように、第１及び第３期間Ｔ１，Ｔ３では瑕疵画像が表れておらず、図１３（ｂ）に示すように、第２期間Ｔ２で瑕疵画像が表れていることから、孤立画像と判定することができる。また、図１３（ｄ）から図１３（ｆ）に示すように、第１から第３期間Ｔ１〜Ｔ３の全期間を通じて瑕疵画像が表れていることから、スジ画像と判定することができる。
【０１６４】
かかる構成を備えた画像読取装置１００では、瑕疵画像が孤立画像であると判定した場合には、光学的瑕疵Ｃがプラテンガラス２０１ｂや原稿押さえ部材３１９にあるとみなすことができる。一方、瑕疵画像がスジ画像であると判定した場合には、光学的瑕疵Ｃが前記スジ画像発生部材（例えば、光源２１１や反射部材、ミラー２３０，２０３ａ，２０３ｂ）にあるとみなすことができる。
【０１６５】
また、この構成において、制御部４００は、原稿固定読取構成で原稿押さえ部材３１９を読み取る場合には、プラテンガラス２０１ｂに対応する領域において光学系駆動部５３０にて光源ユニット２１０（すなわち光源２１１）を副走査方向Ｙに移動させつつ発光素子制御部４４０にて発光パターンを発光させてもよい。
【０１６６】
図１４は、プラテンガラス２０１ｂや原稿押さえ部材３１９上に光学的瑕疵Ｃが存在している例を示す平面図であって、瑕疵位置検出モードのさらに他の例を示している。
【０１６７】
図１４に示すように、原稿固定読取構成で原稿押さえ部材３１９を読み取る場合には、発光パターンを発光させる際に、プラテンガラス２０１ｂに対応する領域において光源２１１を副走査方向Ｙに移動させることで、光学的瑕疵Ｃが原稿固定読取構成で発生したことを操作者に注意喚起させることができる。
【０１６８】
また、この構成において、制御部４００は、瑕疵画像が孤立画像である場合には、画像処理部４３０にて副走査方向Ｙにおける孤立画像に対応する瑕疵位置を特定し、光学系駆動部５３０にて副走査方向Ｙにおける瑕疵位置で光源ユニット２１０（すなわち光源２１１）を停止させた状態で発光素子制御部４４０にて発光パターンを発光させてもよい。
【０１６９】
図１５は、プラテンガラス２０１ｂや原稿押さえ部材３１９上に光学的瑕疵Ｃが存在している例を示す平面図であって、瑕疵位置検出モードのさらに他の例を示している。
【０１７０】
図１５に示すように、原稿固定読取構成で原稿押さえ部材３１９を読み取る場合には、発光パターンを発光させる際に、副走査方向Ｙにおける瑕疵位置で光源２１１を停止させることで、原稿固定読取構成で発生した光学的瑕疵Ｃの副走査方向Ｙにおける位置を操作者に知らせることができる。
【０１７１】
制御部４００は、例えば、孤立画像の読取開始からのライン数及び副走査方向Ｙにおける解像度によって、副走査方向Ｙにおける瑕疵位置（読取開始位置からの距離）を特定することができる。そして、制御部４００は、副走査方向Ｙにおける瑕疵位置（読取開始位置からの距離）及び光源ユニット２１０の移動速度（副走査方向Ｙにおける読取速度）によって、光源ユニット２１０を読取開始位置から移動させて瑕疵位置で停止させるまでの時間を算定することができる。副走査方向Ｙにおける解像度及び光源ユニット２１０の移動速度は、記憶部５２０に予め記憶しておくことができる。また、図１５に示す例では、光源２１１の位置は平面から視て光学的瑕疵Ｃの副走査方向Ｙにおける位置とは少しずれているが、平面から視て光学的瑕疵Ｃの副走査方向Ｙにおける位置とオーバーラップした位置に光源２１１を停止させてもよい。これらのことは、次の孤立画像が副走査方向Ｙに複数箇所ある場合でも同様である。
【０１７２】
制御部４００は、原稿固定読取構成で原稿押さえ部材３１９を読み取る場合であって、孤立画像が副走査方向Ｙに複数箇所ある場合には、画像処理部４３０にて副走査方向Ｙにおける複数箇所の瑕疵位置をそれぞれ特定し、該特定した複数箇所の瑕疵位置に光学系駆動部５３０にて光源ユニット２１０（すなわち光源２１１）光源を移動させてもよい。
【０１７３】
ここで、制御部４００は、範囲外にある読取値（画素データ）ＰＸｉが副走査方向Ｙ（ライン読み取り方向）で一又は複数連続して一箇所に存在している場合に、副走査方向Ｙにおける瑕疵位置を一箇所とすることができ、範囲外にある読取値（画素データ）ＰＸｉが副走査方向Ｙ（ライン読み取り方向）で一又は複数連続して複数箇所に存在している場合に、副走査方向Ｙにおける瑕疵位置を複数箇所とすることができる。
【０１７４】
図１６は、プラテンガラス２０１ｂや原稿押さえ部材３１９上に光学的瑕疵Ｃが複数箇所（この例では２箇所）存在している例を示す平面図であって、瑕疵位置検出モードのさらに他の例を示している。
【０１７５】
図１６に示すように、原稿固定読取構成で原稿押さえ部材３１９を読み取る場合には、発光パターンを発光させる際に、副走査方向Ｙにおける複数箇所の瑕疵位置に光源２１１を移動させることができる。これにより、原稿固定読取構成の複数箇所で発生した光学的瑕疵Ｃ，Ｃの副走査方向Ｙにおける位置を操作者に知らせることができる。
【０１７６】
また、制御部４００は、原稿固定読取構成で原稿押さえ部材３１９を読み取る場合であって、瑕疵画像がスジ画像である場合には、光学的瑕疵Ｃが前記スジ画像発生部材（例えば、光源２１１や反射部材、ミラー２３０，２０３ａ，２０３ｂ）で発生していることを報知するようにしてもよい。例えば、前記スジ画像発生部材で発生していることを発光パターンで報知してもよいし、画像読取装置１００における表示部（図示せず）に警報（例えばメッセージ等の警告表示）を行ってもよい。
【０１７７】
こうすることで、光学的瑕疵Ｃが前記スジ画像発生部材で発生していることを操作者に知らせることができる。
【０１７８】
ところで、本実施の形態では、既述したように、原稿移動読取構成で基準画像を読み取る場合には、基準画像として原稿読取ガラス２０１ａに対向して配置された読取ガイド部材３１８を読み取る。一方、原稿固定読取構成で基準画像を読み取る場合には、基準画像としてプラテンガラス２０１ｂ上に載置される原稿Ｇを保持する原稿押さえ部材３１９を読み取る。
【０１７９】
ところが、読取ガイド部材３１８は、原稿読取ガラス２０１ａより空間を隔てた位置に配置されている状態で読み取られるのに対し、原稿押さえ部材３１９は、プラテンガラス２０１ｂに密着した状態で読み取られる。つまり、読取ガイド部材３１８と原稿押さえ部材３１９とでは基準画像として読み取られる際に光源２１１からの距離が異なる。また、読取ガイド部材３１８と原稿押さえ部材３１９とでは濃度（色味）が異なることもある。
【０１８０】
すなわち、読取ガイド部材３１８を読み取る場合と原稿押さえ部材３１９を読み取る場合とで基準画像が異なる場合があり、そうすると、瑕疵画像の判定精度が低下する。
【０１８１】
図１７は、光学的瑕疵Ｃが存在する状態において読取ガイド部材３１８を読み取る場合と原稿押さえ部材３１９を読み取る場合とで基準画像が異なる場合での光電変換素子２０５で読み取った読取値（画素データ）のグラフである。図１７（ａ）は、読取ガイド部材３１８を読み取った場合を示しており、図１７（ｂ）は、原稿押さえ部材３１９を読み取った場合を示している。
【０１８２】
この例では、原稿押さえ部材３１９（図１７（ｂ）参照）の画像濃度（読取値の最大２５１程度）が読取ガイド部材３１８（図１７（ａ）参照）の画像濃度（読取値の最大２４７程度）よりも明るい濃度に（読取値が大きく）なっている。
【０１８３】
ここで、設定範囲ＰＸｍｉｎ〜ＰＸｍａｘの範囲が２４４〜２５０である場合、読取ガイド部材３１８を読み取る場合では読取値の最大が２４７程度であるため、光学的瑕疵Ｃが無いと判定することができる。一方、読取ガイド部材３１８よりも明るい濃度の（読取値が大きい）原稿押さえ部材３１９を読み取る場合には、本来、設定範囲ＰＸｍｉｎ〜ＰＸｍａｘの範囲内にあるべき読取値ＰＸ（例えば最大で２５１程度）が設定範囲ＰＸｍｉｎ〜ＰＸｍａｘの範囲２４４〜２５０を超えてしまうため、光学的瑕疵Ｃの有無を誤判定する恐れがある。
【０１８４】
かかる観点から、本実施の形態の画像読取装置１００は、次のような構成にすることができる。
【０１８５】
すなわち、読取値（画素データ）ＰＸ（１），…，ＰＸ（ｍ）は、原稿移動読取構成で読取ガイド部材３１８を読み取る第１の読取値（画素データ）ＰＸ１（１），…，ＰＸ１（ｍ）と、原稿固定読取構成で原稿押さえ部材３１９を読み取る第２の読取値（画素データ）ＰＸ２（１），…，ＰＸ２（ｍ）とを含んでいる。
【０１８６】
また、設定範囲ＰＸｍｉｎ〜ＰＸｍａｘは、第１の読取値（画素データ）ＰＸ１（１），…，ＰＸ１（ｍ）と比較する第１の設定範囲ＰＸ１ｍｉｎ〜ＰＸ１ｍａｘと、第２の読取値（画素データ）ＰＸ２（１），…，ＰＸ２（ｍ）と比較する第２の設定範囲ＰＸ２ｍｉｎ〜ＰＸ２ｍａｘとを含んでいる。
【０１８７】
図１８は、図１７に示すグラフにおいて、第１の読取値（画素データ）ＰＸ１（１），…，ＰＸ１（ｍ）と比較する第１の設定範囲ＰＸ１ｍｉｎ〜ＰＸ１ｍａｘと、第２の読取値（画素データ）ＰＸ２（１），…，ＰＸ２（ｍ）と比較する第２の設定範囲ＰＸ２ｍｉｎ〜ＰＸ２ｍａｘとを示したグラフである。図１７と同様、図１８（ａ）は、読取ガイド部材３１８を読み取った場合を示しており、図１８（ｂ）は、原稿押さえ部材３１９を読み取った場合を示している。
【０１８８】
図１８に示すように、第１の設定範囲ＰＸ１ｍｉｎ〜ＰＸ１ｍａｘ（図１８（ａ）参照）と、第２の設定範囲ＰＸ２ｍｉｎ〜ＰＸ２ｍａｘ（図１８（ｂ）参照）とが互いに異なっている。図示例では、第１の設定範囲ＰＸ１ｍｉｎ〜ＰＸ１ｍａｘが２４４〜２５０とされ、第２の設定範囲ＰＸ２ｍｉｎ〜ＰＸ２ｍａｘが２４７〜２５３とされている。
【０１８９】
こうすることで、読取ガイド部材３１８よりも明るい濃度の（読取値が大きい）原稿押さえ部材３１９を読み取る場合に、読取値の最大が２５１程度であっても、第２の設定範囲ＰＸ２ｍｉｎ〜ＰＸ２ｍａｘの範囲が２４７〜２５３とされているので、光学的瑕疵Ｃの有無を確実に判定することができる。
【０１９０】
このように、読取ガイド部材３１８を読み取る場合と原稿押さえ部材３１９を読み取る場合とで基準画像が異なっている場合でも、瑕疵画像を良好に判定することができる。
【０１９１】
次に、設定範囲ＰＸｍｉｎ〜ＰＸｍａｘを設定する初期設定モードと、光学的瑕疵Ｃの主走査方向Ｘにおける瑕疵位置を発光素子２１２（１），…，２１２（ｎ）の発光パターンによって報知する瑕疵位置検出モードとの制御例について説明する。
【０１９２】
なお、以下の制御例では、読取値（画素データ）ＰＸ（１），…，ＰＸ（ｍ）が第１の読取値（画素データ）ＰＸ１（１），…，ＰＸ１（ｍ）と、第２の読取値（画素データ）ＰＸ２（１），…，ＰＸ２（ｍ）とを含み、設定範囲ＰＸｍｉｎ〜ＰＸｍａｘが第１の設定範囲ＰＸ１ｍｉｎ〜ＰＸ１ｍａｘと、第２の設定範囲ＰＸ２ｍｉｎ〜ＰＸ２ｍａｘとを含んでいる場合について説明する。
【０１９３】
［初期設定モード］
図１９は、瑕疵位置検出モードを実行する前に予め設定しておく初期設定の一例を示すフローチャートである。
【０１９４】
初期設定モードの実行は、例えば、画像読取装置１００における表示部（図示せず）に表示されるサービスシミュレーション画面等の設定画面や、画像読取装置１００における操作部（図示せず）に設けられたモードキーへの選択操作によって開始される。
【０１９５】
図１９に示す初期設定モードでは、先ず、記憶部５２０に記憶されている設定テーブルＴＬを読み出し、設定テーブルＴＬによって読取値（画素データ）ＰＸ（１），…，ＰＸ（ｍ）と発光素子２１２（１），…，２１２（ｎ）と対応関係を設定する（ステップＳ１）。
【０１９６】
（第１の設定範囲の設定）
第１の設定範囲ＰＸ１ｍｉｎ〜ＰＸ１ｍａｘを設定するにあたり、光学系駆動部５３０にて光源ユニット２１０を原稿読取ガラス２０１ａの下方の読取位置（すなわち読取ガイド部材３１８の位置）Ｖに位置させ、原稿Ｇがない状態で発光素子２１２（１），…，２１２（ｎ）を点灯させて読取ガイド部材３１８の読取値（画素データ）ＰＸ１（１），…，ＰＸ１（ｍ）を数ライン分読み取る（ステップＳ２ａ）。そして、読取値の平均値（例えば２４７）を算出して（ステップＳ３ａ）、この平均値（例えば２４７）に対して予め規定している規定値（光学的瑕疵Ｃが無いとみなせる値、例えば±３）を加算して、第１の設定範囲ＰＸ１ｍｉｎ〜ＰＸ１ｍａｘ（例えば２４４〜２５０）を算定し（ステップＳ４ａ）、得られた第１の設定範囲ＰＸ１ｍｉｎ〜ＰＸ１ｍａｘを記憶部５２０に記憶（設定）する（ステップＳ５ａ）。
【０１９７】
（第２の設定範囲の設定）
第２の設定範囲ＰＸ２ｍｉｎ〜ＰＸ２ｍａｘを設定するにあたり、光学系駆動部５３０にて光源ユニット２１０を原稿Ｇがない状態で原稿押さえ部材３１９に密着されたプラテンガラス２０１ｂの下方の位置（すなわち原稿押さえ部材３１９の位置）に位置させ、発光素子２１２（１），…，２１２（ｎ）を点灯させて原稿押さえ部材３１９の読取値（画素データ）ＰＸ２（１），…，ＰＸ２（ｍ）を数ライン分読み取り（ステップＳ２ｂ）。そして、読取値の平均値（例えば２５０）を算出して（ステップＳ３ｂ）、この平均値（例えば２５０）に対して予め規定している規定値（光学的瑕疵Ｃが無いとみなせる値、例えば±３）を加算して、第２の設定範囲ＰＸ２ｍｉｎ〜ＰＸ２ｍａｘ（例えば２４７〜２５３）を算定し（ステップＳ４ｂ）、得られた第２の設定範囲ＰＸ２ｍｉｎ〜ＰＸ２ｍａｘを記憶部５２０に記憶（設定）する（ステップＳ５ｂ）。
【０１９８】
この初期設定モードは、瑕疵位置検出モードを実行する前にその都度実行してもよいし、工場出荷時や、光学系を構成する光学部材のサービスマンによる清掃や交換等のメンテナンス終了後等の原稿読取ガラス２０１ａ、読取ガイド部材３１８やプラテンガラス２０１ｂ、原稿押さえ部材３１９等の部材がきれいな状態のときに実行してもよい。
【０１９９】
なお、この例では、第１及び第２の設定範囲をこの順で設定するが、第２の設定範囲を先に設定してもかまわない。また、第１の設定範囲及び第２の設定範囲を個別に設定するようにしてもよい。
【０２００】
［瑕疵位置検出モード］
次に、瑕疵位置検出モードの制御例について基準画像として原稿移動読取構成で読取ガイド部材３１８を読み取る場合と、原稿固定読取構成で原稿押さえ部材３１９を読み取る場合とに分けて説明する。
【０２０１】
なお、以下の制御例では、発光素子２１２（１），…，２１２（ｎ）の発光パターンは、設定範囲ＰＸｍｉｎ〜ＰＸｍａｘの範囲外にある読取値（画素データ）に対応する発光素子２１２（ｊ）を点灯させる一方、それ以外の発光素子を消灯させる発光パターンとして説明する。
【０２０２】
瑕疵位置検出モードの実行は、例えば、画像読取装置１００における表示部（図示せず）に表示されるサービスシミュレーション画面等の設定画面や、画像読取装置１００における操作部（図示せず）に設けられたモードキーへの選択操作によって開始される。なお、ユーザーがモードキーを選択操作して瑕疵位置検出モードを実行し、原稿読取ガラス２０１ａやプラテンガラス２０１ｂ等の部材の清掃といった簡単なメンテナンス作業を行ってもよい。
【０２０３】
（原稿移動読取構成での読み取りの場合）
図２０は、瑕疵位置検出モードの制御の一例を示すフローチャートであって、基準画像として読取ガイド部材３１８を読み取る場合を示している。
【０２０４】
図２０に示す瑕疵位置検出モードでは、先ず、記憶部５２０に記憶されている第１の設定範囲ＰＸ１ｍｉｎ〜ＰＸ１ｍａｘ及び設定テーブルＴＬを読み出し、設定テーブルＴＬによって読取値（画素データ）ＰＸ１（１），…，ＰＸ１（ｍ）と発光素子２１２（１），…，２１２（ｎ）と対応関係を設定する（ステップＳ６ａ）。
【０２０５】
次に、光源ユニット２１０が読取位置Ｖにいないときは、光学系駆動部５３０にて光源ユニット２１０を原稿読取ガラス２０１ａの下方の読取位置（すなわち読取ガイド部材３１８の位置）Ｖに位置させ、原稿Ｇがない状態で発光素子２１２（１），…，２１２（ｎ）を点灯させて読取ガイド部材３１８の読取値（画素データ）ＰＸ１（１），…，ＰＸ１（ｍ）を読み取る（ステップＳ７ａ）。
【０２０６】
初期設定モードで設定した第１の設定範囲ＰＸ１ｍｉｎ〜ＰＸ１ｍａｘ（例えば２４４〜２５０）と、ステップＳ７ａで読み取った読取値ＰＸ１（１），…，ＰＸ１（ｍ）とを比較して設定範囲外の読取値（画素データ）ＰＸｉの有無によって光学的瑕疵Ｃの有無を判定する（ステップＳ８ａ）。
【０２０７】
ステップＳ８ａで光学的瑕疵Ｃが存在すると判定した場合には（ステップＳ８ａ：有り）、設定範囲外の読取値（画素データ）ＰＸｉに対応する発光素子２１２（ｊ）を瑕疵位置における発光素子として特定し（ステップＳ９）、ステップＳ９で特定した発光素子２１２（ｊ）を点灯させ、それ以外の発光素子を消灯させ（ステップＳ１０）、処理を終了する。このとき、光学的瑕疵Ｃが存在する旨のメッセージを画像読取装置１００における表示部（図示せず）に表示してもよい。なお、検出する光学的瑕疵Ｃの主走査方向Ｘにおける箇所が一箇所であっても複数箇所あっても光学的瑕疵Ｃを検出することができる。
【０２０８】
一方、ステップＳ８ａで光学的瑕疵Ｃが存在しないと判定した場合には（ステップＳ８ａ：無し）、全ての発光素子２１２（１），…，２１２（ｎ）を消灯させ（ステップＳ１１）、処理を終了する。このとき、光学的瑕疵Ｃが存在しない旨のメッセージを画像読取装置１００における表示部（図示せず）に表示してもよい。
【０２０９】
（原稿固定読取構成での読み取りの場合）
図２１は、瑕疵位置検出モードの制御の一例を示すフローチャートであって、基準画像として原稿押さえ部材３１９を読み取る場合を示している。
【０２１０】
図２１に示す制御例において、ステップＳ６ａ〜Ｓ８ａに代えて、ステップＳ６ｂ〜Ｓ８ｂが設けられている以外の処理は、図２０に示すフローチャートと同様であるため、同一符号を付し、その説明を省略する。
【０２１１】
ステップＳ６ｂでは、記憶部５２０に記憶されている第２の設定範囲ＰＸ２ｍｉｎ〜ＰＸ２ｍａｘ及び設定テーブルＴＬを読み出し、設定テーブルＴＬによって読取値（画素データ）ＰＸ２（１），…，ＰＸ２（ｍ）と発光素子２１２（１），…，２１２（ｎ）と対応関係を設定する。
【０２１２】
ステップＳ７ｂでは、光学系駆動部５３０にて光源ユニット２１０を原稿Ｇがない状態で原稿押さえ部材３１９に密着されたプラテンガラス２０１ａに対応する領域において副走査方向Ｙに移動させつつ発光素子２１２（１），…，２１２（ｎ）を点灯させて原稿押さえ部材３１９の読取値（画素データ）ＰＸ２（１），…，ＰＸ２（ｍ）を読み取り、ステップＳ８ｂに移行する。
【０２１３】
ステップＳ８ｂでは、初期設定モードで設定した第２の設定範囲ＰＸ２ｍｉｎ〜ＰＸ２ｍａｘ（例えば２４７〜２５３）と、ステップＳ７ｂで読み取った読取値ＰＸ２（１），…，ＰＸ２（ｍ）とを比較して設定範囲外の読取値（画素データ）ＰＸｉの有無によって光学的瑕疵Ｃの有無を判定し、ステップＳ９に移行する。
【０２１４】
このように、基準画像として読取ガイド部材３１８を読み取る場合及び原稿押さえ部材３１９を読み取る場合の何れにおいても、光学的瑕疵Ｃが存在するときには、操作者は、点灯した発光素子２１２（ｊ）の位置において光学的瑕疵Ｃを確認し、対応する光学的瑕疵を有する瑕疵部材の清掃又は必要に応じて交換することができる。なお、瑕疵部材は、例えば、読取ガイド部材３１８を読み取る場合に光学的瑕疵Ｃが存在している原稿読取ガラス２０１ａや読取ガイド部材３１８等の部材であり、原稿押さえ部材３１９を読み取る場合に光学的瑕疵Ｃが存在しているプラテンガラス２０１ａや原稿押さえ部材３１９等の部材である。
【０２１５】
そして、操作者は、瑕疵位置に対応する発光素子２１２（ｊ）が点灯しなくなるまで、瑕疵位置検出モードを行うことができる。
【０２１６】
この例では、原稿移動読取構成での読み取り及び原稿移動読取構成での読み取りをこの順で行ってもよいし、原稿移動読取構成での読み取りを先に行ってかまわない。また、原稿移動読取構成での読み取り及び原稿移動読取構成での読み取りを個別に行ってもよい。
【０２１７】
なお、本実施の形態に係る画像読取装置１００は等倍光学系タイプの画像読取装置であってもよい。
【符号の説明】
【０２１８】
１００                          画像読取装置
２０１ａ                        原稿読取ガラス（第１の透明板の一例）
２０１ｂ                        プラテンガラス（第２の透明板の一例）
２０５                          光電変換素子
２１１                          光源
２１２                          発光素子
３１８                          読取ガイド部材（基準画像の一例）
３１９                          原稿押さえ部材（基準画像の一例）
２３０，２０３ａ，２０３ｂ      ミラー
３００                          自動原稿送り装置
４００                          制御部
４１０                          主制御部
４２０                          原稿読取制御部
４３０                          画像処理部（判定部の一例）
４４０                          発光素子制御部
５１０                          信号処理部
５２０                          記憶部
Ｃ                              光学的瑕疵
Ｄ                              画像形成装置
Ｇ                              原稿
ＬＰ１，ＬＰ２                  光路
ＰＸ                            読取値（画像データ）
ＰＸ１                          第１の読取値
ＰＸ２                          第２の読取値
ＰＸｍｉｎ〜ＰＸｍａｘ          設定範囲
ＰＸ１ｍｉｎ〜ＰＸ１ｍａｘ      第１の設定範囲
ＰＸ２ｍｉｎ〜ＰＸ２ｍａｘ      第２の設定範囲
Ｖ                              読取位置
Ｘ                              主走査方向
Ｙ                              副走査方向
【図１】
2011101175.tif 000003
【図２】
2011101175.tif 000004
【図３】
2011101175.tif 000005
【図４】
2011101175.tif 000006
【図５】
2011101175.tif 000007
【図６】
2011101175.tif 000008
【図７】
2011101175.tif 000009
【図８】
2011101175.tif 000010
【図９】
2011101175.tif 000011
【図１０】
2011101175.tif 000012
【図１１】
2011101175.tif 000013
【図１２】
2011101175.tif 000014
【図１３】
2011101175.tif 000015
【図１４】
2011101175.tif 000016
【図１５】
2011101175.tif 000017
【図１６】
2011101175.tif 000018
【図１７】
2011101175.tif 000019
【図１８】
2011101175.tif 000020
【図１９】
2011101175.tif 000021
【図２０】
2011101175.tif 000022
【図２１】
2011101175.tif 000023